(57)【要約】      （修正有）【課題】冷蔵室及び冷凍室の同一開口部内に収納目的の違った２つの部屋をつくり、その部屋を区画するための仕切がないため収納スペースを最大限に使用できるとともに庫内の広々感を保つことのできる冷蔵庫を提供する。【解決手段】野菜室８及び冷凍スライド室６及び冷凍室９背面に跨いで設置した冷却器と、冷却器によって冷却された冷気を冷蔵スライド室５及び冷蔵室７及び野菜室８及び製氷室４及び冷凍スライド室６及び冷凍室９に導くための吐出風路及び冷蔵スライド室５及び冷蔵室７及び野菜室８及び製氷室４及び冷凍スライド室６及び冷凍室９を冷却した冷気を冷却器に戻すための戻り風路を設けたダクトを備え、冷蔵スライド室５及び冷蔵室７及び野菜室８及び製氷室４及び冷凍スライド室６及び冷凍室９の全ての部屋を冷却する。【選択図】図１
2008002758.tif 000002
【特許請求の範囲】
【請求項１】
冷蔵庫本体と、この本体の上下方向の全高で左右に分断された左区画の上部に冷蔵食品等を貯蔵する引出し扉で構成された冷蔵スライド室と、前記冷蔵庫本体の左区画の下部に設けられた引出し扉で構成された冷凍スライド室と、前記冷蔵スライド室と前記冷凍スライド室の間に設けられた引出し扉で構成された製氷室と、前記冷蔵庫本体の上下方向の全高で左右に分断された右区画の上部に冷蔵食品等を貯蔵する冷蔵室と、前記冷蔵室の下部に設けられた野菜類を貯蔵する野菜室と、前記冷蔵庫本体の右区画の下部に設けられた冷凍室と、前記野菜室及び前記冷凍スライド室及び前記冷凍室背面に跨いで設置した冷却器と、前記冷却器によって冷却された冷気を前記冷蔵スライド室及び前記冷蔵室及び前記野菜室及び前記製氷室及び前記冷凍スライド室及び前記冷凍室に導くための吐出風路及び前記冷蔵スライド室及び前記冷蔵室及び前記野菜室及び前記製氷室及び前記冷凍スライド室及び前記冷凍室を冷却した冷気を冷却器に戻すための戻り風路を設けたダクトを備え、前記冷却器によって冷却される冷気を直接循環させることによって前記冷蔵スライド室及び前記冷蔵室及び前記野菜室及び前記製氷室及び前記冷凍スライド室及び前記冷凍室を冷却することを特徴とする冷蔵庫。
【請求項２】
冷蔵庫本体と、この本体の上下方向の全高で左右に分断された左区画の上部に冷蔵食品等を貯蔵する引出し扉で構成された冷蔵スライド室と、前記冷蔵庫本体の左区画の下部に設けられた引出し扉で構成された冷凍スライド室と、前記冷蔵スライド室と前記冷凍スライド室の間に設けられた引出し扉で構成された製氷室と、前記冷蔵庫本体の上下方向の全高で左右に分断された右区画の上部に冷蔵食品等を貯蔵する冷蔵室と、前記冷蔵室の下部に設けられた野菜類を貯蔵する野菜室と、前記冷蔵庫本体の右区画の下部に設けられた冷凍室と、前記野菜室及び前記冷凍スライド室及び前記冷凍室背面に跨いで設置した冷却器と、前記冷却器によって冷却された冷気を前記冷蔵スライド室及び前記冷蔵室及び前記野菜室及び前記製氷室及び前記冷凍スライド室及び前記冷凍室に導くための吐出風路及び前記冷蔵スライド室及び前記冷蔵室及び前記野菜室及び前記製氷室及び前記冷凍スライド室及び前記冷凍室を冷却した冷気を冷却器に戻すための戻り風路を設けたダクトと、前記野菜室に供給する冷気量を制御するダンパーを備え、前記冷却器によって冷却される冷気を直接循環させることによって前記冷蔵スライド室及び前記冷蔵室及び前記製氷室及び前記冷凍スライド室及び前記冷凍室を冷却し、前記冷却器によって冷却される冷気がダンパーを介して前記野菜室を冷却することを特徴とする冷蔵庫。
【請求項３】
前記冷蔵スライド室及び前記冷蔵室を循環した後の冷気を野菜室に供給することを特徴とする請求項１に記載の冷蔵庫。
【請求項４】
前記冷蔵スライド室及び前記冷蔵室を循環した後の冷気をダンパーを介して野菜室に供給することを特徴とする請求項２に記載の冷蔵庫。
【請求項５】
前記冷凍スライド室及び前記冷凍室を循環した後の冷気を野菜室に供給することを特徴とする請求項１に記載の冷蔵庫。
【請求項６】
前記冷凍スライド室及び前記冷凍室を循環した後の冷気をダンパーを介して野菜室に供給することを特徴とする請求項２に記載の冷蔵庫。
【発明の詳細な説明】
【技術分野】
【０００１】
本発明は、使い勝手を高めた冷蔵庫に関するものである。
【背景技術】
【０００２】
近年、様々なレイアウトの冷蔵庫が発売されている（例えば、特許文献１参照）。
【０００３】
図６は、特許文献１に記載された従来の冷蔵庫を示すものである。図６に示すように、上部区画４１内を第１の区画壁４３によってボトル収納室４８と冷蔵室４５及びその下部に設けた野菜室４６とを左右に区画し、下部区画４２内を第２の区画壁４４によって冷凍室４７と製氷室４９とを左右に区画し、冷蔵室４５を除いた室には引き出し式扉５０、５１、５２、５３、５４を備える。
【特許文献１】特開２００１−２６３９１３号公報
【発明の開示】
【発明が解決しようとする課題】
【０００４】
しかしながら上記従来の構成では、従来技術においては、貯蔵室の各開口には一枚のドアにより塞がれているのが基本であり、各室の間には仕切壁が存在し、限られた寸法のなかで仕切壁により収納スペースが区画されているため、収納量が少ないという課題を有していた。
【０００５】
本発明は、上記従来の課題を解決するもので、同一開口部内に収納目的の違った２つの部屋をつくり、その部屋を区画するための仕切がないため収納スペースを最大限に使用できるとともに庫内の広々感を保つ冷蔵庫を提供することを目的とする。
【課題を解決するための手段】
【０００６】
上記従来の課題を解決するために、冷蔵庫本体と、この本体の上下方向の全高で左右に分断された左区画の上部に冷蔵食品等を貯蔵する引出し扉で構成された冷蔵スライド室と、前記冷蔵庫本体の左区画の下部に設けられた引出し扉で構成された冷凍スライド室と、前記冷蔵スライド室と前記冷凍スライド室の間に設けられた引出し扉で構成された製氷室と、前記冷蔵庫本体の上下方向の全高で左右に分断された右区画の上部に冷蔵食品等を貯蔵する冷蔵室と、前記冷蔵室の下部に設けられた野菜類を貯蔵する野菜室と、前記冷蔵庫本体の右区画の下部に設けられた冷凍室と、前記野菜室及び前記冷凍スライド室及び前記冷凍室背面に跨いで設置した冷却器と、前記冷却器によって冷却された冷気を前記冷蔵スライド室及び前記冷蔵室及び前記野菜室及び前記製氷室及び前期冷凍スライド室及び前記冷凍室に導くための吐出風路及び前記冷蔵スライド室及び前記冷蔵室及び前記屋最室及び前記製氷室及び前期冷凍スライド室及び前記冷凍室を冷却した冷気を冷却器に戻すための戻り風路を設けたダクトを備え、前記冷却器によって冷却される冷気を直接循環させることによって前記冷蔵スライド室及び前記冷蔵室及び前記野菜室及び前記製氷室及び前記冷凍スライド室及び前記冷凍室を冷却することを特徴としたものである。
【０００７】
これによって、１つの冷却器により全ての部屋を冷却し、低コスト化を図ることができ、さらに冷蔵スライド室及び冷蔵室の容量増大を図ることができる。
【０００８】
また、本発明の冷蔵庫は、冷蔵庫本体と、この本体の上下方向の全高で左右に分断された左区画の上部に冷蔵食品等を貯蔵する引出し扉で構成された冷蔵スライド室と、前記冷蔵庫本体の左区画の下部に設けられた引出し扉で構成された冷凍スライド室と、前記冷蔵スライド室と前記冷凍スライド室の間に設けられた引出し扉で構成された製氷室と、前記冷蔵庫本体の上下方向の全高で左右に分断された右区画の上部に冷蔵食品等を貯蔵する冷蔵室と、前記冷蔵室の下部に設けられた野菜類を貯蔵する野菜室と、前記冷蔵庫本体の右区画の下部に設けられた冷凍室と、前記野菜室及び前記冷凍スライド室及び前記冷凍室背面に跨いで設置した冷却器と、前記冷却器によって冷却された冷気を前記冷蔵スライド室及び前記冷蔵室及び前記野菜室及び前記製氷室及び前期冷凍スライド室及び前記冷凍室に導くための吐出風路及び前記冷蔵スライド室及び前記冷蔵室及び前記屋最室及び前記製氷室及び前期冷凍スライド室及び前記冷凍室を冷却した冷気を冷却器に戻すための戻り風路を設けたダクトと、前記野菜室に供給する冷気量を制御するダンパーを備え、前記冷却器によって冷却される冷気を直接循環させることによって前記冷蔵スライド室及び前記冷蔵室及び前記製氷室及び前記冷凍スライド室及び前記冷凍室を冷却し、前記冷却器によって冷却される冷気がダンパーを介して前記野菜室を冷却することを特徴とするものである。
【０００９】
これによって、１つの冷却器により全ての部屋を冷却し、低コスト化を図ることができ、さらに冷蔵スライド室及び冷蔵室の容量増大を図ることができる。さらに野菜室は冷気量を調整するダンパーを介して冷却するため、野菜室内を安定的に冷却することができる。
【発明の効果】
【００１０】
本発明の冷蔵庫は、同一開口部内に収納目的の違った２つの部屋をつくり、その部屋を区画するための仕切のない収納スペースを最大限に使用できるとともに庫内の広々感を保つ冷蔵庫を提供することができ、１つの冷却器で冷蔵スライド室及び冷蔵室及び野菜室及び製氷室及び冷凍スライド室及び冷凍室の全ての部屋を冷却するようにしたことにより、低コスト化を図ることができ、さらに冷蔵スライド室及び冷蔵室の容量増大を図ることができる。
【発明を実施するための最良の形態】
【００１１】
請求項１に記載の発明は、冷蔵庫本体と、この本体の上下方向の全高で左右に分断された左区画の上部に冷蔵食品等を貯蔵する引出し扉で構成された冷蔵スライド室と、前記冷蔵庫本体の左区画の下部に設けられた引出し扉で構成された冷凍スライド室と、前記冷蔵スライド室と前記冷凍スライド室の間に設けられた引出し扉で構成された製氷室と、前記冷蔵庫本体の上下方向の全高で左右に分断された右区画の上部に冷蔵食品等を貯蔵する冷蔵室と、前記冷蔵室の下部に設けられた野菜類を貯蔵する野菜室と、前記冷蔵庫本体の右区画の下部に設けられた冷凍室と、前記野菜室及び前記冷凍スライド室及び前記冷凍室背面に跨いで設置した冷却器と、前記冷却器によって冷却された冷気を前記冷蔵スライド室及び前記冷蔵室及び前記野菜室及び前記製氷室及び前期冷凍スライド室及び前記冷凍室に導くための吐出風路及び前記冷蔵スライド室及び前記冷蔵室及び前記野菜室及び前記製氷室及び前期冷凍スライド室及び前記冷凍室を冷却した冷気を冷却器に戻すための戻り風路を設けたダクトを備え、前記冷却器によって冷却される冷気を直接循環させることによって前記冷蔵スライド室及び前記冷蔵室及び前記野菜室及び前記製氷室及び前記冷凍スライド室及び前記冷凍室を冷却するようにしたことにより、１つの冷却器で冷蔵スライド室及び冷蔵室及び野菜室及び製氷室及び冷凍スライド室及び冷凍室の全ての部屋を冷却するようにしたことにより、低コスト化を図ることができ、さらに冷蔵スライド室及び冷蔵室の容量増大を図ることができる。
【００１２】
請求項２に記載の発明は、冷蔵庫本体と、この本体の上下方向の全高で左右に分断された左区画の上部に冷蔵食品等を貯蔵する引出し扉で構成された冷蔵スライド室と、前記冷蔵庫本体の左区画の下部に設けられた引出し扉で構成された冷凍スライド室と、前記冷蔵スライド室と前記冷凍スライド室の間に設けられた引出し扉で構成された製氷室と、前記冷蔵庫本体の上下方向の全高で左右に分断された右区画の上部に冷蔵食品等を貯蔵する冷蔵室と、前記冷蔵室の下部に設けられた野菜類を貯蔵する野菜室と、前記冷蔵庫本体の右区画の下部に設けられた冷凍室と、前記野菜室及び前記冷凍スライド室及び前記冷凍室背面に跨いで設置した冷却器と、前記冷却器によって冷却された冷気を前記冷蔵スライド室及び前記冷蔵室及び前記野菜室及び前記製氷室及び前期冷凍スライド室及び前記冷凍室に導くための吐出風路及び前記冷蔵スライド室及び前記冷蔵室及び前記野菜室及び前記製氷室及び前期冷凍スライド室及び前記冷凍室を冷却した冷気を冷却器に戻すための戻り風路を設けたダクトと、前記野菜室に供給する冷気量を制御するダンパーを備え、前記冷却器によって冷却される冷気を直接循環させることによって前記冷蔵スライド室及び前記冷蔵室及び前記製氷室及び前記冷凍スライド室及び前記冷凍室を冷却ようにしたことにより、１つの冷却器で冷蔵スライド室及び冷蔵室及び野菜室及び製氷室及び冷凍スライド室及び冷凍室の全ての部屋を冷却するようにしたことにより、従来例より冷却器を１つ減らすことができ、低コスト化を図ることができ、さらに冷蔵スライド室及び冷蔵室の容量増大を図ることができる。さらに野菜室は冷気量を調整するダンパーを介して冷却するため、野菜室内を安定的に冷却することができる。
【００１３】
請求項３に記載の発明は、請求項１に記載の発明において、冷蔵スライド室及び冷蔵室内を循環した後の冷気の湿度が増すことにより、野菜室内が過冷却されることを防止し、さらに野菜室内の温度斑の発生を効果的に解消することができる。
【００１４】
請求項４に記載の発明は、請求項２に記載の発明において、冷蔵スライド室及び冷蔵室内を循環した後の冷気の湿度が増すことにより、野菜室内が過冷却されることを防止し、さらに野菜室内の温度斑の発生を効果的に解消するとともに、冷気量を調整するダンパーを介して冷却するため野菜室内を安定的に冷却することができる。
【００１５】
請求項５に記載の発明は、請求項１に記載の発明において、冷凍スライド室及び冷凍室内を循環した後の冷気の湿度が増すことにより、野菜室内が過冷却されることを防止し、さらに野菜室内の温度斑の発生を効果的に解消することができる。
【００１６】
請求項６に記載の発明は、請求項２に記載の発明において、冷凍スライド室及び冷凍室内を循環した後の冷気の湿度が増すことにより、野菜室内が過冷却されることを防止し、さらに野菜室内の温度斑の発生を効果的に解消するとともに、冷気量を調整するダンパーを介して冷却するため野菜室内を安定的に冷却することができる。
【００１７】
以下、本発明の実施の形態について、図面を参照しながら説明する。なお、この実施の形態によってこの発明が限定されるものではない。
【００１８】
（実施の形態１）
図１は、本発明の実施の形態１による冷蔵庫の正面図である。図２は、本発明の実施の形態１による冷蔵庫の風路を示す正面図である。図５は、本発明の実施の形態１による冷蔵庫の断面図である。
【００１９】
図１に示すように、１は冷蔵庫本体であり、冷蔵庫本体１は、上下方向の全高で左右に分断された左区画２と、右区画３に区画されている。左区画２は中央付近に製氷室４が配置され、製氷室４の上方には引出し扉で構成された冷蔵スライド室５を、製氷室４の下方には引出し扉で構成された冷凍スライド室６が配置されている。
【００２０】
一方、右区画３には、上から冷蔵室７、野菜室８、冷凍室９が配置されていて、それぞれの部屋の前面開口は扉により塞がれている。なお、冷蔵スライド室５と冷蔵室７は上下方向の同一線上で区画されているが、冷蔵スライド室５の高さと、冷蔵室７の高さが違う、すなわち段差がつくよう構成されていても構わない。
【００２１】
図２、５において、２１は第１の仕切り壁であり、冷蔵スライド室５及び冷蔵室７と製氷室４及び野菜室８を仕切っている。２２は第２の仕切り壁であり、製氷室４と冷凍スライド室６を仕切っている。２３は第３の仕切り壁であり、野菜室８と冷凍室９を仕切っている。１７は冷却器であり、野菜室及び冷凍スライド室及び冷凍室背面に跨いで設置される。１８は冷蔵室冷却用ダクトであり、冷却器１７によって冷却された冷気を冷蔵室７及び冷蔵スライド室５に導くための冷蔵室用吐出風路１８ａと冷蔵スライド室５及び冷蔵室７を冷却した冷気を冷却器１７に戻すための冷蔵室用戻り風路１８ｂを有している。１９は野菜室冷却用ダクトであり、冷却器１７によって冷却された冷気を野菜室８に導くための野菜室用吐出風路１９ａと野菜室８を冷却した冷気を冷却器１７に戻すための野菜室用戻り風路１９ｄを有している。２４は冷凍室用ダクトであり、冷却器１７で冷却された冷気を製氷室４及び冷凍スライド室６及び冷凍室９へ導く冷凍系吐出風路２４ａと製氷室４及び冷凍スライド室６及び冷凍室９を冷却した冷気を冷却器１７に戻すための冷凍室用戻り風路２４ｂを有している。２５は冷凍室用冷却ファンであり、冷却器１７で発生した冷気を循環させる。２７は冷気の吐出量を制御するダンパーであり、野菜室の吐出風路口に設置される。
【００２２】
以上のように構成された冷蔵庫について、以下その動作、作用について説明する。冷却器１７によって冷却される冷気を直接循環させることによって冷蔵スライド室５及び冷蔵室７及び製氷室４及び冷凍スライド室６及び冷凍室９を冷却し、１つの冷却器で冷蔵スライド室及び冷蔵室及び野菜室及び製氷室及び冷凍スライド室及び冷凍室の全ての部屋を冷却するようにしたことにより、低コスト化を図ることができる。さらに冷蔵スライド室及び冷蔵室の容量増大を図ることができる。
【００２３】
（実施の形態２）
図１は、本発明の実施の形態２による冷蔵庫の正面図である。図３は、本発明の実施の形態２による冷蔵庫の風路を示す正面図である。図５は、本発明の実施の形態２における冷蔵庫の断面図である。
【００２４】
図１の説明は実施の形態１と同様であるため省略する。図３、５において、２１は第１の仕切り壁であり、冷蔵スライド室５及び冷蔵室７と製氷室４及び野菜室８を仕切っている。２２は第２の仕切り壁であり、製氷室４と冷凍スライド室６を仕切っている。２３は第３の仕切り壁であり、野菜室８と冷凍室９を仕切っている。１７は冷却器であり、野菜室及び冷凍スライド室及び冷凍室背面に跨いで設置される。１８は冷蔵室冷却用ダクトであり、冷却器１７によって冷却された冷気を冷蔵室７及び冷蔵スライド室５に導くための冷蔵室用吐出風路１８ａと冷蔵スライド室５及び冷蔵室７を冷却した冷気を冷却器１７に戻すための冷蔵室用戻り風路１８ｂを有している。１９は野菜室冷却用ダクトであり、冷蔵室の冷気戻り風路から野菜室内に引き込む野菜室用吐出風路１９ｂと野菜室８を冷却した冷気を冷却器１７に戻すための野菜室用戻り風路１９ｄを有している。２４は冷凍室用ダクトであり、冷却器１７で冷却された冷気を製氷室４及び冷凍スライド室６及び冷凍室９へ導く冷凍系吐出風路２４ａと製氷室４及び冷凍スライド室６及び冷凍室９を冷却した冷気を冷却器１７に戻すための冷凍室用戻り風路２４ｂを有している。２５は冷凍室用冷却ファンであり、冷却器１７で発生した冷気を循環させる。２７は冷気の吐出量を制御するダンパーであり、野菜室の吐出風路口に設置される。
【００２５】
以上のように構成された冷蔵庫について、以下その動作、作用について説明する。冷却器１７によって冷却される冷気を直接循環させることによって冷蔵スライド室５及び冷蔵室７及び製氷室４及び冷凍スライド室６及び冷凍室９を冷却し、１つの冷却器で冷蔵スライド室及び冷蔵室及び野菜室及び製氷室及び冷凍スライド室及び冷凍室の全ての部屋を冷却するようにしたことにより、低コスト化を図ることができる。さらに冷蔵室の冷気戻り風路から野菜室内に引き込む野菜室用吐出風路冷蔵スライド室及び冷蔵室の容量増大を図ることができる。さらに冷蔵室の冷気戻り風路から野菜室内に引き込むことにより冷蔵スライド室及び冷蔵室内を循環した後の冷気の湿度が増すことにより、野菜室内が過冷却されることを防止し、さらに野菜室内の温度斑の発生を効果的に解消することができる。
【００２６】
（実施の形態３）
図１は、本発明の実施の形態３による冷蔵庫の風路を示す正面図である。図４は、本発明の実施の形態３による冷蔵庫の風路を示す正面図である。図５は、本発明の実施の形態２における冷蔵庫の断面図である。
【００２７】
図１の説明は実施の形態１と同様であるため省略する。図４、５において、２１は第１の仕切り壁であり、冷蔵スライド室５及び冷蔵室７と製氷室４及び野菜室８を仕切っている。２２は第２の仕切り壁であり、製氷室４と冷凍スライド室６を仕切っている。２３は第３の仕切り壁であり、野菜室８と冷凍室９を仕切っている。１７は冷却器であり、野菜室及び冷凍スライド室及び冷凍室背面に跨いで設置される。１８は冷蔵室冷却用ダクトであり、冷却器１７によって冷却された冷気を冷蔵室７及び冷蔵スライド室５に導くための冷蔵室用吐出風路１８ａと冷蔵スライド室５及び冷蔵室７を冷却した冷気を冷却器１７に戻すための冷蔵室用戻り風路１８ｂを有している。１９は野菜室冷却用ダクトであり、冷凍室の冷気戻り風路から野菜室内に引き込む野菜室用吐出風路１９ｃと野菜室８を冷却した冷気を冷却器１７に戻すための野菜室用戻り風路１９ｄを有している。２４は冷凍室用ダクトであり、冷却器１７で冷却された冷気を製氷室４及び冷凍スライド室６及び冷凍室９へ導く冷凍系吐出風路２４ａと製氷室４及び冷凍スライド室６及び冷凍室９を冷却した冷気を冷却器１７に戻すための冷凍室用戻り風路２４ｂを有している。２５は冷凍室用冷却ファンであり、冷却器１７で発生した冷気を循環させる。２７は冷気の吐出量を制御するダンパーであり、野菜室の吐出風路口に設置される。
【００２８】
以上のように構成された冷蔵庫について、以下その動作、作用について説明する。冷却器１７によって冷却される冷気を直接循環させることによって冷蔵スライド室５及び冷蔵室７及び製氷室４及び冷凍スライド室６及び冷凍室９を冷却し、１つの冷却器で冷蔵スライド室及び冷蔵室及び野菜室及び製氷室及び冷凍スライド室及び冷凍室の全ての部屋を冷却するようにしたことにより、低コスト化を図ることができる。さらに冷蔵室の冷気戻り風路から野菜室内に引き込む野菜室用吐出風路冷蔵スライド室及び冷蔵室の容量増大を図ることができる。さらに冷凍室の冷気戻り風路から野菜室内に引き込むことにより冷凍スライド室及び冷凍室内を循環した後の冷気の湿度が増すことにより、野菜室内が過冷却されることを防止し、さらに野菜室内の温度斑の発生を効果的に解消することができる。
【産業上の利用可能性】
【００２９】
以上のように、本発明にかかる冷蔵庫は、１つの冷却器で前記冷蔵スライド室及び前記冷蔵室及び前記製氷室及び前記冷凍スライド室及び前記冷凍室及び前記野菜室の全ての部屋を冷却するようにしたことにより、低コスト化を図ることができ、さらに冷蔵スライド室及び冷蔵室の容量増大を図ることが可能となるので、冷凍機器全般の冷却方法の用途にも適用できる。
【図面の簡単な説明】
【００３０】
【図１】本発明の実施の形態１による冷蔵庫の正面図
【図２】本発明の実施の形態１による冷蔵庫の風路を示す正面図
【図３】本発明の実施の形態２による冷蔵庫の風路を示す正面図
【図４】本発明の実施の形態３による冷蔵庫の風路を示す正面図
【図５】本発明の実施の形態１による冷蔵庫の断面図
【図６】従来の冷蔵庫の斜視図
【符号の説明】
【００３１】
１    冷蔵庫本体
４    製氷室
５    冷蔵スライド室
６    冷凍スライド室
７    冷蔵室
８    野菜室
９    冷凍室
１７  冷却器
１８  冷蔵室用ダクト
１８ａ  冷蔵室用吐出風路
１８ｂ  冷蔵室用戻り風路
１９ａ  野菜室用吐出風路
１９ｂ  野菜室用吐出風路
１９ｃ  野菜室用吐出風路
１９ｄ  野菜室用戻り風路
２１  第１の仕切り壁
２２  第２の仕切り壁
２３  第３の仕切り壁
２４  冷凍室用ダクト
２４ａ  冷凍室用吐出風路
２４ｂ  冷凍室用戻り風路
２５  冷凍室用冷却ファン
２７  ダンパー
【図１】
2008002758.tif 000003
【図２】
2008002758.tif 000004
【図３】
2008002758.tif 000005
【図４】
2008002758.tif 000006
【図５】
2008002758.tif 000007
【図６】
2008002758.tif 000008